Podtech/llm-jp-corpus-v4-ja_patent huggingface dataset:
(57)【要約】      （修正有）【課題】単一の操作機構で、光学倍率の積が１に依存しない２つの光学倍率で被写体観察が出来、さらにピント調整も同一操作機構で行うことが可能となる観察撮影装置を提供する。【解決手段】光学倍率１倍前後を実現するように光軸上を前後移動する凸レンズである単焦点レンズ群１と、その光軸後方に固定されている凹レンズである単焦点レンズ群２により構成され、レンズ群２は、レンズ群１のみの場合の仮想合焦位置５の前方、かつレンズ群１の後方の光軸上に固定配置されている。【選択図】図３
2017207726.tif 000002
【特許請求の範囲】
【請求項１】
近接観察撮影において、光軸上を前後移動する凸レンズである単焦点レンズ群と、その光軸後方に移動しない凹レンズである単焦点レンズ群により構成され、凸レンズ群を前後移動させる操作機構により、被写体と撮像面を動かすことなく、光学倍率の積が１に依存しない２つの光学倍率で合焦し、さらに同一の操作機構によりピント調整も行えることを特徴とする観察撮影装置。
【発明の詳細な説明】
【技術分野】
【０００１】  本発明は、近接観察撮影装置に関するものである。
【技術背景】
【０００２】  近接観察撮影装置において、複数の倍率で観察撮影する際には、ズームレンズが一般的であり、その場合は被写体・撮像面を移動させることなく倍率の変更が可能になるが、その性質上ピント調整と、倍率調整の機構が別になる。
【０００３】  また、凸レンズである単焦点レンズ群のみを用いた簡易なものがあるが、この場合、撮像面から被写体の距離を変えることなく、レンズ群を移動させるのみで２つの倍率が実現できるが、それは例えば光学０．５倍と光学２．０倍、などと一方の倍率が決まるともう一方の倍率も、その２つの倍率の積が１になるように決まってしまうという光学的な原理がある。
【発明の開示】
【発明が解決しようとする課題】
【０００４】  以上に述べた手段の問題点として、ズームレンズを用いた場合には望ましい被写体位置と、望ましい複数の倍率で観察することが出来るが、その性質上ピント調整と、倍率調整の機構が別機構になってしまい、高価で、大きさも大きくなり、操作のしづらいものとなってしまう。【０００５】  凸レンズである単焦点レンズ群のみを用いた装置では、上記の光学的な原理から、望ましい被写体位置において、望ましい２つの倍率で観察することはが難しい。
【課題を解決するための手段】
【０００６】  このような課題に対し、本発明は、近接観察撮影において、光軸上を前後移動する凸レンズである単焦点レンズ群と、その光軸後方に移動しない凹レンズである単焦点レンズ群により構成され、凸レンズ群を前後移動させる操作機構により、被写体と撮像面を動かすことなく、光学倍率の積が１に依存しない２つの光学倍率で合焦し、さらに同一の操作機構によりピント調整も行えることを特徴とする観察撮影装置。
【発明の効果】
【０００７】  通常の凸レンズである単焦点レンズ群のみで２つの倍率での合焦を実現する場合は、光学倍率０．５倍と２．０倍などと、一方の倍率を決めるともう一方の倍率も、その２つの倍率の積が１になるように決まってしまうという光学的な原理があるが、本発明により光学倍率１．２倍と４．８倍など、２点の倍率の積が１に依存しない倍率での合焦を実現することができる。【０００８】  また、レンズ設計・製造においても、ズームレンズではズーム全域で高解像となるように設計・製造しなければならないのに対し、本発明では合焦する付近の倍率周辺においてのみ高解像になるように設計・製造すればよいため、安価に簡易に設計・製造が出来る。
【発明を実施するための最良の形態】
【０００９】  図１に、前後移動する凸レンズである単焦点レンズ群１と、その光軸後方に移動しない凹レンズである単焦点レンズ群２を配置した様子を図示する。レンズ群２は、レンズ群１と撮像面３の間の光軸上に固定され、レンズ群１と撮像面３のいずれにも干渉しない位置にある。【００１０】  被写体４は近接位置にあり、前後移動するレンズ群１は、レンズ群１のみの場合に光学倍率が１倍前後を実現するように前後移動し、図２（ａ）と図２（ｂ）においてはレンズ群１のみの光学倍率として、それぞれ０．５倍と２．０倍を実現するように移動するものとして図示した。このように２つの光学倍率の積が１となる場合は、光学的な原理により被写体４からレンズ群１のみの場合の仮想合焦位置５までの距離６は、２つの光学倍率において同一となる。【００１１】  図２（ａ）および図２（ｂ）の状態において、レンズ群２を、レンズ群１のみの場合の仮想合焦位置５の前方、かつレンズ群１の後方の光軸上に配置すると、光学的性質により、図２（ａ）の場合も図２（ｂ）の場合も、同一の倍率で映像が拡大され、さらに同一の合焦位置７に結像し、この位置を撮像面３になるように配置すれば良い。この同一の倍率を２．４倍として、この様子をそれぞれ図３（ａ）と図（ｂ）に図示する。【００１２】  このようにすると、図３（ａ）の場合は、総合倍率が１．２倍となり、図３（ｂ）の場合は、総合倍率が４．８倍となる。【００１３】  また、被写体位置が若干ずれているが、被写体や観察撮影装置本体を動かせない場合には、レンズ群１を前後移動させれば、総合倍率が１．２倍、４．８倍からは若干変動するものの、それに近い２つの倍率で合焦する。【００１４】  よって、本実施例により、単一の操作機構で、光学倍率の積が１に依存しない２つの光学倍率で被写体観察が出来、さらにピント調整も同一操作機構で行うことが可能となる観察撮影装置を実現することが出来た。
【図面の簡単な説明】
【００１５】
【図１】  移動するレンズ群１の後方にレンズ群２を配置した状態の図
【図２】  移動するレンズ群１のみがあると仮定した状態の図  （ａ）レンズ群１のみの光学倍率が０．５倍の図  （ｂ）レンズ群１のみの光学倍率が２．０倍の図
【図３】  移動するレンズ群１の後方にレンズ群２を配置した状態の図  （ａ）レンズ群１のみの光学倍率が０．５倍で光学総合倍率１．２倍の図  （ｂ）レンズ群１のみの光学倍率が２．０倍で光学総合倍率４．８倍の図
【符号の説明】
【００１６】１  レンズ群１
２  レンズ群２
３  撮像面
４  被写体位置
５  レンズ群１のみの場合の仮想合焦位置
６  被写体からレンズ群１のみの場合の仮想合焦位置までの距離
７  合焦位置
【図１】
2017207726.tif 000003
【図２】
2017207726.tif 000004
【図３】
2017207726.tif 000005
(57)【要約】【課題】指に負荷をかけながら実際の演奏の模倣動作を可能にすることにより指の可動範囲を拡大し、テクニック上の問題を解決することができる。【解決手段】本体に係止される左指４本矯正部に上下に動くスライダーを設け、スライダーにガイドされて左４指が演奏の疑似動作を行う。【選択図】図１
2017207725.tif 000002
【特許請求の範囲】
【請求項１】
あご当てを有する本体と、指拡張スライダーとビブラートスライダーと親指位置固定とを有する左手矯正部と、弓と弓道部と弓道固定部とを有する右手矯正部とを有する弦楽器練習器において、前記左手矯正部が左手矯正部取り付け板を介して前記本体２に取り外し可能に固定され、前記右手矯正部が右手矯正部取り付け板を介して前記本体に取り外し可能に固定されることを特徴とする弦楽器練習器。
【請求項２】
左手矯正部に縦方向スライド機構を有する指拡張スライダーを備えたことを特徴とする請求項１記載の弦楽器練習器。
【請求項３】
左手矯正部に横方向仕切板角度調整機構を有する指拡張スライダーを備えたことを特徴とする請求項１記載の弦楽器練習器
【発明の詳細な説明】
【技術分野】
【０００１】      本発明は、弦楽器練習器に関する。
【背景技術】
【０００２】    従来の弦楽器練習器には、左手を演奏フォームに固定した状態でトレーニングを行っていた。
【先行技術文献】
【特許文献】
【０００３】
【特許文献１】特開２００９−１３９９０１号公報
【特許文献２】特開２０１４−１３４６４１号公報
【発明の概要】
【発明が解決しようとする課題】
【０００４】  従来の練習具は左手を上下に動かすことができなかった。
【課題を解決するための手段】
【０００５】そして、本発明は上記目的を達成するための
解決手段は、左手矯正部に縦方向スライド機構を有する指拡張スライダーを備えた構成とした物である。
【発明の効果】
【０００６】上述したように本発明の弦楽器練習器は左手４指をバイオリンの演奏フォームで拡張させることができる。
【図面の簡単な説明】
【０００７】
【図１】本発明の実施形態を示す弦楽器練習器の外観図
【図２】本発明の実施形態を示す弦楽器練習器の外観図
【図３】本発明の実施形態を示す弦楽器練習器の外観図
【図４】本発明の実施形態を示す弦楽器練習器の外観図
【発明を実施するための形態】
【０００８】  以下、本発明の実施の形態を図１〜図２に基づいて説明する。
図１において、１は頭部との接触部となる本体である。本体１の側部に左親指矯正部２と左指４本矯正部３を係止し、さらに上面にボーイング矯正部４を係止している。ボーイング矯正部４に弓体５を差し込んで往復運動を行う。左指４本矯正部３は、指板６にビブラートスライダー７を接続し、ビブラートをかける角度を設定する角度調整機構８をビブラートスライダー７に設け、さらに指板６の上面に上下方向に動く指拡張スライダー９を設けた構成としている。
図２において、１０はスライド固定装置で、指拡張スライダー９の上下運動をロックして固定した状態にする。１１は指滑り止め部で、スライド固定装置１０の側面に設けて指の滑りを防止する。
スライド固定装置１０には、クリップやテープなどを用い、滑り止め部１１には、ゴムやプラスティックなどの非金属材料を用いる事が出来る。
図３において、指拡張スライダー９に対する指の接触角度を調整する指挿入角度調整装置１２と、指拡張スライダー９全体を傾斜させて使用するための傾斜角度調整装置１３とを設けた構成としている。指挿入角度調整装置１２は指板６に位置決するネジであり、指挿入角度調整装置１２を中心に指拡張スライダー９を回転させて指の接触角度を任意の位置にネジで固定することが出来る。
図４において、傾斜角度調整装置１３は、指拡張スライダー９を固定するためのネジであり傾斜角度調整装置１３を中心に指拡張スライダー９を傾斜させて任意の傾斜角度にネジで固定することが出来る。
【産業上の利用可能性】
【０００９】バイオリンの効果的練習方法【００１０】
【符号の説明】
【００１１】      １  本体
２  左親指矯正部
３  左指４本矯正部
４  ボーイング矯正部
５  弓体
６  指板
７  ビブラートスライダー
８  角度調整機構
９  指拡張スライダー
１０  スライド固定装置
１１  指滑り止め部
１２  指挿入角度調整装置
１３  傾斜角度調整装置
【図１】
2017207725.tif 000003
【図２】
2017207725.tif 000004
【図３】
2017207725.tif 000005
【図４】
2017207725.tif 000006
(57)【要約】      （修正有）【課題】携帯電話やスマートフォンの電池切れ時、別の携帯電話やスマートフォンに、各種のファイルをコピーすることなく使用可能な方式を提供する。【解決手段】携帯電話会社に関連付けられた複数のSIMカード情報を入力し、関連付けられた複数のSIMカードを挿入した各々の携帯電話やスマートフォンに同じ電話番号を割り当て、携帯電話会社のサーバーにメールや任意のホームページアドレス等あらゆるファイルを保存し、ブラウザにダウンロードして使用する。各々の携帯電話やスマートフォンは、一番最後に暗証番号の入力や生体認証の使用があった機体のみを使用可能とする。【選択図】なし【特許請求の範囲】
【請求項１】
携帯電話回線の交換機に、関連付けられた複数のSIMカード情報を入力し、関連付けられた複数のSIMカードを挿入した各々の携帯電話やスマートフォンに同じ電話番号を割り当て、携帯電話会社のサーバーにメールや任意のホームページアドレス等あらゆるファイルを保存し、一番最後に暗証番号の入力や生体認証の使用があった機体のみを使用できるようにし、各々の携帯電話やスマートフォンで同じ電話番号を使用でき、携帯電話会社のサーバーに保存した情報にアクセスできるようにする。この際、メールはWEBメールとし、任意のホームページアドレスは使用する度に携帯電話やスマートフォンのブラウザにダウンロードしてホームページを表示する。
【発明の詳細な説明】
【技術分野】
【０００１】
本発明は、関連付けられた複数のSIMカードを挿入した各々の携帯電話やスマートフォンを使い、電池切れの際電池交換や携帯充電器の使用を不要にした通信システムである。
【背景技術】
【０００２】
携帯電話やスマートフォンは、出先で電池切れを起こすと、電池交換か携帯充電器で充電するかしなければならなかった。
【先行技術文献】
【非特許文献】
【０００３】
【非特許文献１】ケータイ研究所〜よくわかる携帯電話の仕組み〜http://www.ieice.or.jp/jpn/kodomo/keitai/index.html
【発明の概要】
【発明が解決しようとする課題】
【０００４】
携帯電話やスマートフォンは、出先で電池切れを起こすと、電池交換か携帯充電器で充電するかしなければならなかった。関連付けられたSIMカードを挿入した別の携帯電話やスマートフォンに、暗証番号の入力や生体認証を使って同じ電話番号やメールアドレス、任意のホームページアドレス等あらゆるファイルをコピーすることなく使えるように出来れば、利便性は向上する。
【課題を解決するための手段】
【０００５】
携帯電話回線の交換機に、関連付けられた複数のSIMカード情報を入力し、関連付けられた複数のSIMカードを挿入した各々の携帯電話やスマートフォンに同じ電話番号を割り当て、携帯電話会社のサーバーにメールや任意のホームページアドレス等あらゆるファイルを保存し、一番最後に暗証番号の入力や生体認証の使用があった機体のみを使用できるようにし、各々の携帯電話やスマートフォンで同じ電話番号を使用でき、携帯電話会社のサーバーに保存した情報にアクセスできるようにする。この際、メールはWEBメールとし、任意のホームページアドレスは使用する度に携帯電話やスマートフォンのブラウザにダウンロードしてホームページを表示する。
【発明の効果】
【０００６】
顧客は、携帯電話やスマートフォンの電池切れの際、関連付けられたSIMカードを挿入した別の携帯電話やスマートフォンに、暗証番号を入力するか生体認証を利用するかして、電話番号やメールアドレスを変えずに、また、任意のホームページアドレス等あらゆるファイルをコピーすることなく機体を切り替えて使え、電池交換をしたり携帯充電器を使用せずに済み、利便性が向上する。
【発明を実施するための形態】
【０００７】
携帯電話回線の交換機に、関連付けられた複数のSIMカード情報を入力し、関連付けられた複数のSIMカードを挿入した各々の携帯電話やスマートフォンに同じ電話番号を割り当て、携帯電話会社のサーバーにメールや任意のホームページアドレス等あらゆるファイルを保存し、一番最後に暗証番号の入力や生体認証の使用があった機体のみを使用できるようにし、各々の携帯電話やスマートフォンで同じ電話番号を使用でき、携帯電話会社のサーバーに保存した情報にアクセスできるようにする。この際、メールはWEBメールとし、任意のホームページアドレスは使用する度に携帯電話やスマートフォンのブラウザにダウンロードしてホームページを表示する。
【実施例】
【０００８】
携帯電話回線の交換機に、関連付けられた複数のSIMカード情報を入力し、関連付けられた複数のSIMカードを挿入した各々の携帯電話やスマートフォンに同じ電話番号を割り当て、携帯電話会社のサーバーにメールや任意のホームページアドレス等あらゆるファイルを保存し、一番最後に暗証番号の入力や生体認証の使用があった機体のみを使用できるようにし、各々の携帯電話やスマートフォンで同じ電話番号を使用でき、携帯電話会社のサーバーに保存した情報にアクセスできるようにする。この際、メールはWEBメールとし、任意のホームページアドレスは使用する度に携帯電話やスマートフォンのブラウザにダウンロードしてホームページを表示する。
【産業上の利用可能性】
【０００９】
顧客は、携帯電話やスマートフォンの電池切れの際、関連付けられたSIMカードを挿入した別の携帯電話やスマートフォンに、暗証番号を入力するか生体認証を利用するかして、電話番号やメールアドレスを変えずに、また、任意のホームページアドレス等あらゆるファイルをコピーすることなく機体を切り替えて使え、電池交換をしたり携帯充電器を使用せずに済み、利便性が向上する。
(57)【要約】【課題】排水口に置くだけで容易に設置し、貯まったゴミと一緒にゴミ受けを簡単に捨てられ、水分が垂れにくいゴミ受けを提供する。【解決手段】本発明のゴミ受け１は、パルプなどの素材を鋳型などで成形され、上部から下部にかけて直径が小さくなった、お皿やお椀型の形状を成している。ゴミ受け１の上部に、ひさし２を設けることで排水口に留るようにし、ゴミ受け１に穴３を備えることで、残飯などがゴミ受け１に貯まることを特徴とする。【選択図】図１
2017172311.tif 000002
【特許請求の範囲】
【請求項１】
パルプなどの素材を鋳型などで、お皿やお椀型に成形し容器に穴を設けた、排水口のゴミ受けであって、ゴミ受けの上部にひさしを設けることで排水口に固定される。ゴミ受けに穴を設けることで、汚れた水分が排水口に流れ、残飯などがゴミ受けに留ることを特徴とするゴミ受け。
【発明の詳細な説明】
【技術分野】
【０００１】  本発明は、シンクの排水口に置くだけで、設置することができるゴミ受けに関するものである。
【背景技術】
【０００２】  一般に、排水口のゴミ受けはポリプロピレンや樹脂などの素材で網の形を成しており、排水口内のステンレスなどの素材でできたカゴに被せて設置される。
【発明の概要】
【発明が解決しようとする課題】
【０００３】  しかしながら、上記した従来のゴミ受けは、設置する際にステンレスなどの素材でできたカゴを外して、ゴミ受けを被せるため手間が掛かる。【０００４】  また、取り外す際には、ゴミ受けに付着した残飯などの汚れが手につきやすいといった問題があった。
【課題を解決するための手段】
【０００５】  この課題をするための本発明は、パルプなどの素材を鋳型などで、お皿やお椀型に成形し容器に穴を設けたことを特徴とするゴミ受けであり、シンクの排水口に置くだけで、ゴミを受けることができるようにした。
【発明の効果】
【０００６】  本発明によれば、容易に設置することができ、廃棄する際にはゴミ受けに設けられた穴の表面張力によって、汚れた水分などが垂れにくく、ゴミ受けに付着した残飯などの汚れが手につきにくいゴミ受けを提供することができる。
【発明を実施するための形態】
【０００７】以下、本発明を実施の形態を表す図面に基づいて説明する。図１および図２、図３は本発明の一実施の形態を示している。図中、４はシンクでその底部の一番低いところにシンク排水口５が段付き部６を有して設けられている。
【０００８】  以下、図面を参照しつつ本発明の実施形態に係る排水口のゴミ受けについて詳細に説明する。ここで、図１は本発明の実施の形態に係るゴミ受けを表側から示す斜視図、図２は本発明の実施の形態に係るゴミ受けを示す上図、図３は本発明の実施の形態に係るゴミ受けを示す正面図である。
【０００９】  本発明の実施の形態に係るゴミ受け１は、図３に示されているように、上部から下部にかけて直径が小さくなったお皿やお椀型の形状を成しており、シンク排水口５に入れやすい形状を成し、積み重ねできるようになっている。
【００１０】  ひさし２は、ゴミ受け１の上部に設けられているため、排水口５の段付き部６に置くだけでゴミ受け１が固定される。穴３を、ゴミ受け１に設けることで、汚れた水分だけが排水口５に流れ、残飯などがゴミ受け１に留まる。
【００１１】  このように本発明の実施の形態に係るゴミ受け１は、排水口５の段付き部６に置くだけで、ひさし２によって排水口に固定されることから、ゴミ受け１を簡単に設置することができる。
【００１２】  さらに、ゴミ受け１は、パルプなどの素材で作られているため、生ゴミと一緒に廃棄することができる。また、ゴミ受け１に設けられた穴３から、水分が排水口５に流れ落ちた後、水の表面張力によって穴３が塞がれるため、排水口５から逆流する臭いを軽減することができる。
【００１３】  この段付き部６の上方には、ゴムの蓋７が載るように設置される。蓋７は周縁８が厚くされた円盤状でその中心から放射状に複数本の切り込み９が設けられ常態で塞ぎ中が見えないようにし、生ゴミを落とし込むときには切り込み９に挟まれた部分が下に撓み通過させるようになっている。
【００１４】  蓋７を通過した生ゴミが貯まったら蓋７を取り、ゴミ受け１に設けられた、ひさし２を持ち簡単にゴミ箱などに捨てることができる。このとき、ゴミ受け１に設けられた穴３は水の表面張力によって塞がれ、水分が垂れるのを軽減する。
【図面の簡単な説明】
【００１５】
【図１】本発明の実施の形態に係るゴミ受けを表側から示す斜視図である。
【図２】本発明の実施の形態に係るゴミ受けを示す上図である。
【図３】本発明の実施の形態に係るゴミ受けを示す正面図である。
【符号の説明】
【００１６】    １          ゴミ受け
２          ひさし
３          穴
【図１】
2017172311.tif 000003
【図２】
2017172311.tif 000004
【図３】
2017172311.tif 000005
(57)【要約】【課題】  本発明は、冷え症の方、および足元を温め快眠を得たい方などが既存の靴下を装着し、寝ることが常態化していた。既存の靴下を装着すると、足全体を覆ってしまうため、かいた汗を蒸発させることが困難となり、その汗は角質層に入り込み表皮細胞がはがれ、垢となり腐敗をし、悪臭の基となっていた。基本的な新陳代謝がスムーズに行われない、ということは血流、リンパ、ホルモンバランス等の正常な活動の妨げをしてしまい、デトックス効果も半減してしまう問題点があった。【解決手段】  足指裏部、足かかと裏部、土踏まず側部を両端に設け、空洞部の周囲に縁を付け厚みを持たせ、足指付け根凸状空洞部と土踏まず空洞部を連結連動させ、足裏最大の有効開放面積を設けたことを特徴とし、足甲部、足首部、アキレス腱部、ふくらはぎ部、ふくらはぎすべり止め部を設けた、就寝用健康安眠ソックス。【選択図】図１
2017172095.tif 000002
【特許請求の範囲】
【請求項１】
足指裏部、足かかと裏部、土踏まず側部を両端に設け、空洞部の周囲に縁を付け厚みを持たせ、足指付け根凸状空洞部と土踏まず空洞部を連結連動させ、足裏最大の有効開放面積を設けたことを特徴とし、足甲部、足首部、アキレス腱部、ふくらはぎ部、ふくらはぎすべり止め部を設けた、就寝用健康安眠ソックス。
【発明の詳細な説明】
【技術分野】
【０００１】  本発明は、就寝時に装着する。
足のすべてを覆ってしまう既存の靴下装着時と比較し、足裏開放部（空洞域）を最大限設けたことにより、蒸れて雑菌等の繁殖することなく、足裏からの発汗、蒸発、呼吸をスムーズにさせ、血行、およびリンパの流れを促し、成長ホルモンの分泌の低下を招くことなく、本来の肉体的新陳代謝を正常に機能させることができる就寝用健康安眠ソックスに関するものである。
【背景技術】
【０００２】  従来、冷え症の方、および足元を温め快眠を得たい方などが足のすべてを覆ってしまう既存の靴下を履いて寝ることが常態化しており、せいぜい５本指靴下、およびレッグウォーマーなる物をはき、それを足まで引きずりおろして着用していた。
過去には足指付け根部分、および土ふまず部分のごく一部に狭小の空気の取り入れ口を設けたものが見られた（特許文献１参照）。
さらに足指裏に小さな空気腔のみを設けたものがあった（特許文献２参照）。
【先行技術文献】
【特許文献】
【０００３】
【特許文献１】  特開２０１１−１７９１５５号公報
【特許文献２】  特開２０００−３４５４０５号公報
【発明の概要】
【発明が解決しようとする課題】
【０００４】  そのために次のような問題点があった。
既存の靴下を装着し就寝すると足全体が覆われることとなり足裏の汗蒸れが生じ、その汗は足裏の厚い角質層に入り込み、表皮細胞がはがれ、垢となり腐敗し、悪臭を放つこととなっていた。
足裏は１日（２４時間）でコップ一杯分の汗をかくところ、とされており、その汗を蒸発することができなかった。
血液、リンパ、ホルモンバランス等の正常な働きを促す見地からも既存の靴下では不可能であった。
医学の世界において、足のすべてを覆ってしまう既存の靴下を履いて寝ることは人体循環機能を阻害し、不衛生であることは常識とされ定説となっていたが、近年、ＴＶ等マスコミにおいて医大教授や医師たちが公言するようになってきた経緯があった。
本発明は以上の問題点を解決するためになされたものである。
【課題を解決するための手段】
【０００５】  足指裏部、かかと裏部、土踏まず側部を両脇に設け、縁を付け厚みをもたせ、足指付け根凸状空洞部と土踏まず空洞部を連結連動させ足裏最大の有効開放面積を設けたことを特徴とし、足甲部、足首部、アキレス腱部、ふくらはぎ部、ふくらはぎすべり止め部を設けた、就寝用健康安眠ソックス。
【発明の効果】
【０００６】  従来の既存の靴下を履いて寝ていた場合、足全体が覆われてしまい、かいた汗は蒸発することを妨げられ、足蒸れを誘発、水虫菌、雑菌の繁殖により悪臭を放ち不衛生であった。
血行、リンパ、ホルモン等、正常な活動を促す人体循環的効果もなかった。
本発明は上記の事項を克服し、冷え症に対応、免疫力アップ、足温め効果により快眠を得ることとなる。
交感神経、副交感神経のバランスも良好に保たれ自立神経が安定することとなる。
尚、足裏最大の開放面積（空洞部）を設けたことによりデトックス（体内毒素、不純物の排出）効果も大いに発揮することができる。
５本指靴下、レッグウォーマー、ルーズソックス等にも応用ができる。
【図面の簡単な説明】
【０００７】
【図１】  本発明の斜視図である。
【図２】  本発明を裏側より見た使用状態を示した斜視図である。
【図３】  本発明の使用状態を示した側面の斜視図である。
【発明を実施するための形態】
【０００８】  以下、本発明の実施の形態について説明する。
（イ）ソックス本体の下部は足指裏部（１）、足かかと裏部（５）、土踏まず側部（４）    を両側に設け形成され、空洞部周囲に縁を付け厚みを持たせ、ソックスとして履ける    状態にし、足指付け根凸状空洞部（２）と土踏まず空洞部（３）は連結連動し、広く    開放されるように縁どりを付け設ける。
（ロ）ソックス本体の上部には足甲部（６）足首部（７）、アキレス腱部（８）、ふくら    はぎ部（９）を設け、袋状にし、上部にふくらはぎすべり止め部（１０）を設ける。
本発明は以上のような構造である。
本発明を使用するときは、ふくらはぎすべり止め部（１０）ふくらはぎ部（９）アキレス腱部（８）足首部（７）を下げ降ろし、足甲部（６）土踏まず側部（４）と一体化させ、足指裏部（１）に足指５本を入れ、足かかと裏部（５）にかかとを装着し、ソックス本体の上部を引き上げる。
以上により足指付け根凸状空洞部（２）と土踏まず空洞部（３）は、連結連動され足裏最大の有効開放面積を設けることができる。
発汗作用が生じ、その汗の蒸発がなされ、人体に有効な足裏呼吸が行われ、足蒸れを誘発することなく、血行、リンパ、ホルモン等、正常な人体循環機能を果たすことができる。
【符号の説明】
【０００９】１  足指裏部
２  足指付け根凸状空洞部
３  土踏まず空洞部
４  土踏まず側部
５  足かかと裏部
６  足甲部
７  足首部
８  アキレス腱部
９  ふくらはぎ部
１０  ふくらはぎすべり止め部
【図１】
2017172095.tif 000003
【図２】
2017172095.tif 000004
【図３】
2017172095.tif 000005
(57)【要約】【課題】汚れやヌメリが生じにくい台所の三角コーナーを提供する。【解決手段】線材を１本のみ使用し、前記線材を折り曲げて籠状の三角コーナーを形成するが、前記線材の一端と他端との接続を除き前記線材同士の接触箇所が無いように形成する。【選択図】図１
2017081701.tif 000002
【特許請求の範囲】
【請求項１】
線材を１本のみ使用し、前記線材を折り曲げることによって形成される籠状の構造物であって、前記線材の一端と多端との接続を除き前記線材同士の接触箇所が無いことを特徴とする台所の三角コーナー。
【発明の詳細な説明】
【技術分野】
【０００１】
本発明は、台所の三角コーナーに関するものである。
【背景技術】
【０００２】
従来の生ごみを入れる線材で構成される三角コーナーは、複数本の線材をスポット溶接などにより接合させ籠状にし、中に水切り袋を装填して使用するようになっている。
【０００３】
しかし、生ごみを長時間に亘って三角コーナー内に放置したり三角コーナーの清掃を長時間行わなかった場合には、汚れやヌメリが発生してしまう。これは、図４に示すように、線材１２の接合部分に狭い間隙１６があり、そこに汚れた水が溜まりがちであることがその一要因である。また、間隙１６が狭いため、清掃も容易ではない。
【発明の概要】
【発明が解決しようとする課題】
【０００４】
複数本の線材を結合して形成された台所の三角コーナーは、線材の結合部分に狭い間隙があるため、そこに汚れた水が留まりがちであり、汚れやヌメリが生じ易い。また、清掃を行う際においても、前記間隙の汚れやヌメリが取れにくい。
【課題を解決するための手段】
【０００５】
本発明は、線材を１本のみ使用し、前記線材を折り曲げて籠状の三角コーナーを形成するが、前記線材の一端と多端との接続を除き前記線材同士の接触箇所が無いように形成することを特徴とする。
【発明の効果】
【０００６】
本発明の三角コーナーは、狭い間隙が存在しないため、汚れやヌメリの発生が少なくなり、清掃も容易となる。
【図面の簡単な説明】
【０００７】
【図１】本発明による実施例の三角コーナーの斜視図である。
【図２】従来の三角コーナーの一例の斜視図である。
【図３】従来の三角コーナーの線材結合部分の拡大斜視図であり、さらに図４は断面図である。
【図４】従来の三角コーナーの線材結合部分の断面図である。
【発明を実施するための形態】
【０００８】
線材で形成される三角コーナーにおいて、線材を１本のみ使用し、前記線材同士が接触しないようにすることで、汚れやヌメリの発生が抑えられる製品を実現する。
【０００９】
以下に、本発明の実施形態を、図面を参照しながら説明するが、本実施例に限定されるものではない。図１は、本発明による実施例の三角コーナーの斜視図である。三角コーナーが、１本の線材を折り曲げることによって形成されているが、前記線材同士が接触する箇所が無いようにして籠状に形成されている。本実施例では、前記線材の一端と多端とが接続されている。
【００１０】
図４に示されている、従来の三角コーナーの線材１２の結合部分に存在する間隙１６が、本発明の実施方法では存在しないため、汚れやヌメリの発生が抑えられる。
【符号の説明】
【００１１】
１    三角コーナー
１２    線材
１６    間隙
【図１】
2017081701.tif 000003
【図２】
2017081701.tif 000004
【図３】
2017081701.tif 000005
【図４】
2017081701.tif 000006
【手続補正書】
【提出日】平成28年3月11日(2016.3.11)
【手続補正１】
【補正対象書類名】明細書
【補正対象項目名】全文
【補正方法】変更
【補正の内容】
【発明の詳細な説明】
【技術分野】
【０００１】
本発明は、台所の三角コーナーに関するものである。
【背景技術】
【０００２】
従来の生ごみを入れる線材で構成される三角コーナーは、複数本の線材をスポット溶接などにより接合させ籠状にし、中に水切り袋を装填して使用するようになっている。
【０００３】
しかし、生ごみを長時間に亘って三角コーナー内に放置したり三角コーナーの清掃を長時間行わなかった場合には、汚れやヌメリが発生してしまう。これは、図４に示すように、線材１２の接合部分に狭い間隙１６があり、そこに汚れた水が溜まりがちであることがその一要因である。また、間隙１６が狭いため、清掃も容易ではない。
【発明の概要】
【発明が解決しようとする課題】
【０００４】
複数本の線材を結合して形成された台所の三角コーナーは、線材の結合部分に狭い間隙があるため、そこに汚れた水が留まりがちであり、汚れやヌメリが生じ易い。また、清掃を行う際においても、前記間隙の汚れやヌメリが取れにくい。
【課題を解決するための手段】
【０００５】
本発明は、線材を１本のみ使用し、前記線材を折り曲げて籠状の三角コーナーを形成するが、前記線材の一端と他端との接続を除き前記線材同士の接触箇所が無いように形成することを特徴とする。
【発明の効果】
【０００６】
本発明の三角コーナーは、狭い間隙が存在しないため、汚れやヌメリの発生が少なくなり、清掃も容易となる。
【図面の簡単な説明】
【０００７】
【図１】本発明による実施例の三角コーナーの斜視図である。
【図２】従来の三角コーナーの一例の斜視図である。
【図３】従来の三角コーナーの線材結合部分の拡大斜視図であり、さらに図４は断面図である。
【図４】従来の三角コーナーの線材結合部分の断面図である。
【発明を実施するための形態】
【０００８】
線材で形成される三角コーナーにおいて、線材を１本のみ使用し、前記線材同士が接触しないようにすることで、汚れやヌメリの発生が抑えられる製品を実現する。
【０００９】
以下に、本発明の実施形態を、図面を参照しながら説明するが、本実施例に限定されるものではない。図１は、本発明による実施例の三角コーナーの斜視図である。三角コーナーが、１本の線材を折り曲げることによって形成されているが、前記線材同士が接触する箇所が無いようにして籠状に形成されている。本実施例では、前記線材の一端と他端とが接続されている。
【００１０】
図４に示されている、従来の三角コーナーの線材１２の結合部分に存在する間隙１６が、本発明の実施方法では存在しないため、汚れやヌメリの発生が抑えられる。
【符号の説明】
【００１１】
１    三角コーナー
１２    線材
１６    間隙
【手続補正２】
【補正対象書類名】特許請求の範囲
【補正対象項目名】全文
【補正方法】変更
【補正の内容】
【特許請求の範囲】
【請求項１】
線材を１本のみ使用し、前記線材を折り曲げて籠状に形成する台所の三角コーナーの形成方法であって、前記線材の一端と他端との接続を除き前記線材同士の接触箇所が無いことを特徴とする台所の三角コーナーの形成方法。
(57)【要約】【課題】  書画作品の補填材を作成するにあたり、手作業で行うために経済効率が悪かったり、作品の近くで刃物を使う危険性がある。紙の書画作品では機械的な作成方法が提案されているが、和紙の特徴である毛羽状態の裁断面が作成されていない。また絹の書画作品においては、まだ機械的な補填材の作成も図られていない。【解決手段】  補填材を作成するために機械を導入することで、安全性と手作業による非効率的な問題は解決される。その過程において行われる画像処理により、補填材の使用量が減少して経済的となり、かつ補填材の補正により視認性も向上する。【選択図】図２
2017081139.tif 000002
【特許請求の範囲】
【請求項１】
書画作品の補填材を機械で作成する工程において、前記書画作品の欠失穴と、コンピューターの画像処理で欠失穴抽出による補修材を裁断して取り出す補填材との位置関係が合致するようにし、前記補修材に分散した欠失穴抽出を集合するように処理後、前記補填材として裁断することを特徴とする書画作品の補填材の作成及び補修方法。
【請求項２】
請求項１において、絹に描かれた書画作品の絹目に補填材の絹目を合わせるために、裁断面が絹目に平行、垂直となるよう裁断処理することを特徴とする書画作品の補填材の作成及び補修方法。
【請求項３】
請求項１において、紙に書かれた書画作品の欠失穴の近傍の紙の状態に近い補修材を選択し、その作成する補填材の裁断面が毛羽状態になるように裁断処理することを特徴とする書画作品の補填材の作成及び補修方法。
【発明の詳細な説明】
【技術分野】
【０００１】  本発明は書画作品の補修に関するものである。
【背景技術】
【０００２】  絹や紙に描かれた美術品や書籍は時代が経つにつれて多くの損傷を受け、絹や紙が欠失して穴となっているものが多い。従来はこれらを修復するために、よく似ている紙や電子線劣化絹（特開昭４９−８６６９６号）等を用いて補填をしていた。【０００３】  従来の方法は、損傷した絹や紙の欠失穴を透かしながらその形を補填材の絹や紙にトレースし、その輪郭線を刃物で切り抜いて前記書画作品の欠失穴に補填したり、［図３］の様に欠失穴に補填材を大きめに貼り付け、周りの余分な部分を刃物で落としてその欠失穴の形に成形するなど、すべて手作業で補修を行っていた。
【先行技術文献】
【特許文献】
【０００４】
【特許文献１】  特開昭４９−８６６９６号
【特許文献２】  特開平１１−３０１１９４
【非特許文献】
【０００５】
【非特許文献１】  ２００４年６月  文化財保存修復学会  第２６回大会  ポスター発表  「機械を利用した紙史料修復方法の開発（１）」
【発明の概要】
【発明が解決しようとする課題】
【０００６】  以上述べた従来方法では、手作業で時間がかかりすぎて経済効率は悪く、書画作品の近くで刃物を扱うので安全性の面からもあまりよくない。【０００７】  なお［非特許文献１］や［特許文献２］で紙の補修材の作成に機械的な作成方法が用いられている。［非特許文献１］では紙を線的に切断するだけで、和紙が持っている紙の毛羽状態を裁断部分で形成出来ていない。【０００８】  また、絹の書画作品ではまだ機械的な補填材の作成は図られていない。なお絹の書画作品の損傷具合は紙の書画作品と比べて、絹目という視覚要素が含まれるので、その要素も考慮して補修をしなければならない。
【課題を解決するための手段】
【０００９】  書画作品の補填材を機械で作成する行程は［特開平１１−３０１１９４］、［非特許文献１］と同様であるが、画像処理の段階において、前記書画作品の欠失穴とコンピュータ処理後の欠失穴用補填材が合致するようにし、分散した欠失穴のデータを集合させて補修材を裁断するようにする。【００１０】  またその欠失穴の形に裁断された補填材を書画作品の欠失穴に充填して貼り付けることで、刃物を書画作品の近くで使わなくなるため安全性の向上がはかられる。【００１１】  なお絹の書画作品の場合は、コンピュータの画像処理や機械的裁断や補填の段階で補填材の絹目を書画作品の絹目に合わせる様に補正する。【００１２】  また紙の書画作品の場合は、その紙の欠失穴の近傍の紙の状態に近い補填材の紙を選び、裁断面が毛羽状態になるように裁断する。
【発明の効果】
【００１３】  上述したように、補填材を書画作品の近くで裁断するのではないため安全性の向上になり、かつまた欠失穴の補填となる補填材を集合させて裁断するために補修材の使用量が減少して経済的である。【００１４】  なお美術品である絹や紙の書画作品の視認性からも，補填材の絹目を合わせることや、紙の補填材を近傍の紙の書画作品に近付ける事により違和感が減少する。
【図面の簡単な説明】
【００１５】
【図１】  簡略化した書画作品の欠失穴
【図２】  簡略化した振り分け後の集合した補填材
【図３】  従来の刃物で整形する補修方法
【図４】  絹補填後の悪い例
【図５】  絹補填後の良い例
【図６】  今回のフローチャート
【発明を実施するための形態】
【００１６】  以下、本発明の実施形態を図を用いて説明する。
【００１７】  紙の書画作品の場合は、［図６］において、画像入力装置から書画作品の画像データを入力し、コンピュータにより画像処理を行い［図１］に示すような欠失穴データを抽出する。その後の画像処理過程において前記書画作品の欠失穴とコンピュータ処理後の欠失用補填材が合致するよう［図２］に示すような番号や記号で画像振り分けを行い、位置照合データを盛り込む。
【００１８】  カッタープロッターやレーザー切断機等の切断機により裁断面が毛羽状態になるように、裁断形態をミシン目やランダムな点描で補填材の輪郭を裁断し、補填材の作成を行う。
【００１９】  なお絹の書画作品の場合も同様な流れであるが、［図６］の画像処理において、裁断する補填材の絹目を書画作品の絹目とあわせるための補正処置を行う。
【００２０】  ［図４］は画像処理や補填時に補正処置を行わなかった事例で絹目が合っていなく違和感を感じる。［図５］は画像処理や補填時に補正処置を行ったため絹目も合って違和感がなくなっている。
【符号の説明】
【００２１】１ー絹や紙の書画作品
２ー書画作品の欠失穴
３ー補修材
４―補填材
５ー刃物
６ー補填材の断面
７ー書画作品の断面
８ー書画作品の絹
９ー絹の補填材
ａ―振り分け記号
ｂ―振り分け記号
ｃ―振り分け記号
ｄ―振り分け記号
【図１】
2017081139.tif 000003
【図２】
2017081139.tif 000004
【図３】
2017081139.tif 000005
【図４】
2017081139.tif 000006
【図５】
2017081139.tif 000007
【図６】
2017081139.tif 000008
(57)【要約】【課題】  外表面にコロナ処理を施した筒状の軟質樹脂のガゼット袋体において、折り返し部の熱溶着強度を確保し、内容物の自動充てん作業時に溶着部が剥がれることなく、作業がスムーズに行えること。【解決手段】  ４枚に折り返されたガゼット部のうちの３枚を、複数の針状の突起を設けた熱溶着圧着板により、串刺し状に溶着した軟質樹脂製のガゼット袋体。【選択図】図３
2017081644.tif 000002
【特許請求の範囲】
【請求項１】
４枚に折り返されたガゼット部のうちの３枚を、複数の針状の突起を設けた熱溶着圧着板により、串刺し状に溶着した軟質樹脂製のガゼット袋体。
【発明の詳細な説明】
【技術分野】
【０００１】  本発明は、軟質樹脂製のガゼット袋体において、熱溶着を確実に行う技術に関するものである。
【背景技術】
【０００２】  表面にコロナ処理などを施した軟質樹脂製のガゼット袋体は、４枚に重なる折り返し部分において、コロナ処理などを施した表面同士の接合面では、熱溶着強度の確保が難しかった。
【発明の開示】
【発明が解決しようとする課題】
【０００３】  そのために、自動充てん機にて内容物を詰めようとする際、バキュームにて袋体を持ち上げるときに接合面の熱溶着が剥がれてしまい、後工程のクランプ作業ができず、袋体を保持できないという問題があった。
本発明は以上の問題点を解決しようとするものである。
【課題を解決するための手段】
【０００４】  ４枚に折り返されたガゼット部のうちの３枚を、複数の針状の突起を設けた熱溶着圧着板により、串刺し状に溶着した軟質樹脂製のガゼット袋体である。
【発明の効果】
【０００５】  本発明は、熱溶着が難しいコロナ処理を施した表面同士が接する接合面を持つガゼット部の熱溶着において、当該部分に熱溶着板に設けた針状の突起を貫通させることにより、突起周囲の袋体素材が溶けて交わるため、容易に剥がれない溶着を施すことが可能になる。これにより、内容物自動充てんの際に、バキュームで持ち上げ開かれてもガゼット部が剥がれないので、後工程のクランプ作業が容易に行えるようになる。
【発明を実施するための最良の形態】
【０００６】  以下、本発明の実施の形態を説明する。
（イ）筒状に押し出し成型された軟質樹脂薄膜フィルムの袋体素材（１）の外表面には、印刷インクの密着性を向上させるためにコロナ処理（１ａ）が施される。（図１）
（ロ）両端部を折り返してガゼット部（１ｂ）を形成する。このとき、折り返された接合面を第１接合面（１ｃ）、第２接合面（１ｄ）、第３接合面（１ｅ）と呼ぶ。（図２）
（ハ）折り返されたガゼット袋体（１）の第３接合面（１ｅ）に中板（３）を挿入し、第一接合面（１ｃ）と第２接合面（１ｄ）を熱溶着圧着板（２）により圧着する。このとき、圧着板（２）には複数の針状の突起（２ａ）を設けてあり、折り返された３枚部分を串刺しにする。（図３）
（ニ）針状部（２ａ）の周囲には熱により溶けた素材がつながった層（１ｆ）が形成される。（図４）
（ホ）溶けた素材がつながった層（１ｆ）により３枚部分の密着強度が確保される。
（ヘ）これにより、バキュームで一面を引き上げても折り返し部の剥がれが生ずることなく、自動充てん機にかけることが可能となる。（図５）
本発明は、以上の構成よりなっている。
【図面の簡単な説明】
【０００７】
【図１】軟質樹脂の薄膜フィルムの袋体を表す図
【図２】両端部を折り返してガゼット部形成した袋体を表す図
【図３】折り返し部の溶着の状況を表す図
【図４】溶着部を拡大した図
【図５】バキュームで持ち上げたところを表す図
【符号の説明】
【０００８】    １    軟質樹脂の薄膜フィルムの袋体
１ａ  外表面に施されたコロナ処理
１ｂ  折り返し部
１ｃ  第１接合面
１ｄ  第２接合面
１ｅ  第３接合面
１ｆ  溶着された部分
２    熱溶着圧着板
２ａ  針状の突起
３    中板
４    バキューム吸盤
【図１】
2017081644.tif 000003
【図２】
2017081644.tif 000004
【図３】
2017081644.tif 000005
【図４】
2017081644.tif 000006
【図５】
2017081644.tif 000007
(57)【要約】【課題】栓体が、栓体の頭部とさらに円錐部とによって形成され、これらが堅固に連結されていること。【解決手段】ボトルを閉じるために適合可能な栓体であって、ネックの開口部の外法寸法よりも大きいかまたは少なくとも等しい基準外法寸法を有する前記栓体の頭部１と、前記栓体の円錐部（２）とを備え、前記頭部と前記円錐部は、接着剤による堅固な連結によって固定されている。【選択図】図１
2017081650.tif 000002
【特許請求の範囲】
【請求項１】
ボトルを閉じるための適合可能な栓体であって、
ネックの開口部の外法寸法と少なくとも等しいかまたはそれよりも大きい基準外法寸法を有する前記栓体の頭部（１）と、前記栓体の円錐部（２）とを備え、
前記頭部と前記円錐部は、接着剤による堅固な連結によって固定されていることを特徴とする栓体。
【請求項２】
ボトルを閉じるための適合可能な栓体であって、
ネックの開口部の外法寸法よりも大きいかまたは少なくとも等しい基準外法寸法を有する前記栓体の頭部（１）と、前記栓体の円錐部（２）とを備え、
前記頭部と前記円錐部は、溝手段（３）により固定される機械的に取り外し可能な連結によって連結されていることを特徴とする栓体。
【請求項３】
ボトルを閉じるための適合可能な栓体であって、
前記栓体の前記頭部（１）と前記栓体の前記円錐部（２）は、円形、楕円形、または角ばった形状であり、ガラス、木材、樹脂、または金属材料によって作られていることを特徴とする請求項１または請求項２に記載の栓体。
【発明の詳細な説明】
【技術分野】
【０００１】
本発明は、ボトル、すなわちスピリッツ、蒸留物、またはワイン用のボトルを閉じるための栓体に関する。
【背景技術】
【０００２】
公知の栓体は、欠点を有しており、それは、栓体が、栓体の頭部とさらに円錐部とによって形成され、これらが堅固に連結されていることである。
【発明の概要】
【課題を解決するための手段】
【０００３】
本発明は、ボトル、すなわち、スピリッツ、蒸留物、またはワイン用のボトルを閉じるためのガラスの栓体に関し、前記ボトルは、円形または非円形のネックの開口部を有し、前記栓体は、前記ボトルの前記ネックの外法寸法と少なくとも等しいかそれよりも大きい基準外法寸法を有する頭部と、さらに前記栓体の円錐部とを備えている。これら双方の部分は、使用された材料に適応した接着剤によって、または、有利に、機械的に取り外し可能な連結によって、堅固に連結されている。
【０００４】
本発明の他の利点は、前記頭部は、該頭部の外法寸法が前記ネックの前記開口部の外法寸法と等しいかまたはそれを超え、いかなる形状であってもよい。これにより、前記ボトルおよび前記栓体の形状の異なるデザインソリューションを可能にすることができる。その一方で、たとえばサーモカプセル、コーティングまたはワイヤバンデージなど、栓体の固定をもたらすためのさらなる技術的要素を用いることができる。
【０００５】
優先的に、本発明は、蒸留物のボトルを閉じることを対象にする。選択的に、前記発明は、他の液体であって、前記ボトル、前記栓体、および封止要素が化学的耐性を有する液体のために用いてもよい。
【発明の効果】
【０００６】
本発明による前記ボトルのソリューションは、前述の意義の範囲内で、飲料のボトル、すなわちスピリッツや他の液体を対象としたボトル、または選択的に粉状物のためのボトルにおける封止効果の必要な機能的安全性および再現性を提供する。
【０００７】
本発明による解決策は、前述の意義の範囲内で、前記栓体および前記ボトルのガラスおよび非ガラス材料に適用可能である。
【図面の簡単な説明】
【０００８】
【図１】本発明およびその利点を詳細にわたって明らかにした図。
【図２】本発明およびその利点を詳細にわたって明らかにした図。
【図３】本発明およびその利点を詳細にわたって明らかにした図。
【図４】本発明およびその利点を詳細にわたって明らかにした図。
【発明を実施するための形態】
【０００９】
本発明の実施の形態は、栓体の頭部１および栓体の円錐部２の形状およびデザインの可変性をもたらす。栓体の頭部１および栓体の円錐部２は、たとえば溝手段３によって取り外し可能に固定され、または接着剤によって堅固に連結される。
【図１】
2017081650.tif 000003
【図２】
2017081650.tif 000004
【図３】
2017081650.tif 000005
【図４】
2017081650.tif 000006
【外国語明細書】
2017081650000001.pdf
(57)【要約】【課題】ごみ出しなどのごみ袋の毎回の取り付けの手間を省略する事を提供する。【解決手段】単一の袋（１）を複数枚入れ重ねた袋（２）に開け口取手（３）を取り付けた物を特長とする。【選択図】図１
2017081645.tif 000002
【特許請求の範囲】
【請求項１】
単一の袋（１）を複数枚入れ重ねた袋（２）に開け口取手（３）を取り付けた袋である。
【発明の詳細な説明】
【技術分野】
【０００１】  この発明は、袋を数枚重ねてひとつとする物に関するものである。
【背景技術】
【０００２】  従来、ごみ袋は一回ごとに取り除き新しくセットしていた。
【発明の概要】
【発明が解決しようとする概要】
【０００３】  これは次のような手間があった。
ごみ袋を一回使用する度に新しくごみ袋を取り付けていた手間がありました。些細なことだが、取り除けば次がセッティングされているならとても便利で、いそがしい人、物臭な人には役立つだろう物である。
【課題を解決するための手段】
【０００４】  袋（１）を複数枚入れ重ねた物（２）を一つとして容器に使用する物である。
【発明の効果】
【０００５】  たとえば、一日一回ごみ出しするとして７枚物（２）なら、一度取り付けると一週間後に取り付けるまで容器からごみ袋（１）を取り出す作業だけで、毎回のごみ袋（１）を取り付ける手間を省略できました。
【図面の簡単な説明】
【０００６】
【図１】本発明の斜視図である。
【発明を実施するための形態】
【０００７】  以下、本発明を実施するための形態について説明する。
袋（１）を使用目的に合わせ複数枚入れ重ね合わせた物（２）に開け口（３）を取り付けた物である。
【符号の説明】
【０００８】  １  袋
２  複数枚入れ重ねた物
３  開け口用取手
【図１】
2017081645.tif 000003